【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
同期プロバイダーを用いてアプリケーションをライセンスする方法であって、
ライセンシング・サービスにおいてクライアント同期プロバイダーからアプリケーションのライセンスを求める要求を受けるステップと、
前記アプリケーションを提供するコマース・パートナーから前記ライセンスに関する情報を、コマース・パートナーの同期プロバイダーを介して受信するステップであって、前記コマース・パートナーの同期プロバイダーが、前記ライセンシング・サービスのアプリケーション・プログラミング・インターフェース（ＡＰＩ）を、コマース・パートナーが前記ライセンシング・サービスのプロビジョニング・レイヤーへの直接アクセスを可能とすることなく、前記コマース・パートナーに露出する抽象化レイヤーである、ステップと、
前記アプリケーションのライセンスをクライアント計算デバイスに返すステップと、
前記ライセンスの状態に関する情報を、前記クライアント同期プロバイダーから受信するステップと、
前記ライセンスの状態にしたがって、前記ライセンスの条件を調整するステップと
を含む、方法。
【請求項２】
請求項１記載の方法であって、前記ライセンスの状態に関する情報を、前記コマース・パートナーの同期プロバイダーから受信するステップを含む、方法。
【請求項３】
請求項１記載の方法であって、１つ以上のクライアント同期プロバイダーと複数のコマース・パートナーの同期プロバイダーとを含むプラガブル同期プロバイダーのシステムを用いて、アプリケーションをライセンスするステップを含む、方法。
【請求項４】
請求項１記載の方法であって、前記クライアント同期プロバイダーに対応する複数のクライアント計算デバイスに跨がって前記ライセンスの状態を同期させるステップを含む、方法。
【請求項５】
請求項１記載の方法であって、前記ライセンスの状態を、前記ライセンシング・サービスを通じて直接監視するステップを含む、方法。
【請求項６】
請求項１記載の方法であって、前記ライセンスの状態が失効状態を含む場合に、前記ライセンスを解除するステップを含む、方法。
【請求項７】
請求項１記載の方法であって、前記ライセンスの状態が更新状態を含む場合に、前記ライセンスを再プロビジョニングするステップを含む、方法。
【請求項８】
請求項１記載の方法であって、前記ライセンスの状態が変換状態である場合に、前記ライセンスを第２ライセンスに変換するステップを含む、方法。
【請求項９】
同期プロバイダーを用いてアプリケーションをライセンスするシステムであって、
クライアント同期プロバイダーであって、
コマース・パートナーからのプロビジョニング要求をコマース・パートナーの同期プロバイダーを介して受け、前記コマース・パートナーの同期プロバイダーが、前記ライセンシング・サービスのアプリケーション・プログラミング・インターフェース（ＡＰＩ）を、コマース・パートナーが前記ライセンシング・サービスのプロビジョニング・レイヤーへの直接アクセスを可能とすることなく、前記コマース・パートナーに露出する抽象化レイヤーであり、
アプリケーションのライセンスを要求するシステム・コールをライセンシング・サービスに送り、
前記ライセンスの状態を周期的に判定および更新する
ように構成されたクライアント同期プロバイダーと、
前記ライセンシング・サービスであって、
前記アプリケーションのライセンスをクライアント計算デバイスに戻し、
前記ライセンスの状態に関する情報を前記クライアント同期プロバイダーから受信し、
前記ライセンスの状態にしたがって、前記ライセンスの条件を調整する
ように構成されたライセンシング・サービスと
を備える、システム。
【請求項１０】
請求項９記載のシステムにおいて、前記クライアント同期プロバイダーが特定クライアント計算デバイスに対応し、前記ライセンスが、前記特定クライアント計算デバイス上での前記アプリケーションの使用を許可する、システム。
【請求項１１】
請求項１０記載のシステムにおいて、前記ライセンスが、クライアント信任状の入力に基づいて、前記特定クライアント計算デバイス上における前記アプリケーションの使用を許可する、システム。
【請求項１２】
請求項９記載のシステムにおいて、前記ライセンシング・サービスが、前記ライセンスの状態に関する情報を前記コマース・パートナーの同期プロバイダーから受信するように構成される、システム。
【請求項１３】
請求項９記載のシステムであって、コマース・パートナーの同期プロバイダーおよびクライアント同期プロバイダーのプラガブル・システムを含み、各クライアント同期プロバイダーが、１つ以上のコマース・パートナーの同期プロバイダーからライセンシング要求を受けるように構成される、システム。
【請求項１４】
請求項９記載のシステムであって、前記クライアント同期プロバイダーに対応する複数のクライアント計算デバイスに跨がって前記ライセンスの状態を同期させるように構成されたシステムを備える、システム。
【請求項１５】
請求項９記載のシステムにおいて、前記ライセンシング・サービスが、前記クライアント同期プロバイダーおよび前記コマース・パートナーの同期プロバイダーと通信するための複数のプロビジョニング・アプリケーション・プログラミング・インターフェースを含む、システム。
【請求項１６】
請求項９記載のシステムにおいて、前記アプリケーションが、特定コマース・パートナーによって提供されるサービスを含む、システム。
【請求項１７】
複数の命令を含む１つ以上のコンピューター読み取り可能記憶デバイスであって、前記命令がプロセッサーによって実行されると、該プロセッサーに、
クライアント同期プロバイダーからアプリケーションのライセンスを求める要求を受けさせ、
前記アプリケーションを提供するコマース・パートナーに対応するコマース・パートナーの同期プロバイダーから前記ライセンスに関する情報を受信させ、前記コマース・パートナーの同期プロバイダーが、前記ライセンシング・サービスのアプリケーション・プログラミング・インターフェース（ＡＰＩ）を、コマース・パートナーが前記ライセンシング・サービスのプロビジョニング・レイヤーへの直接アクセスを可能とすることなく、前記コマース・パートナーに露出する抽象化レイヤーであり、
前記アプリケーションのライセンスをクライアント計算デバイスに返させ、
前記ライセンスの状態に関する情報を判定させ、
前記ライセンスの状態にしたがって、前記ライセンスの条件を調整させる
コンピューター読み取り可能記憶デバイス。
【請求項１８】
請求項１７記載の１つ以上のコンピューター読み取り可能記憶デバイスにおいて、前記ライセンスの状態に関する情報が周期的に判定される、コンピューター読み取り可能記憶デバイス。
【請求項１９】
請求項１７記載の１つ以上のコンピューター読み取り可能記憶デバイスにおいて、前記ライセンスの条件を調整させることが、前記ライセンスをプロビジョニング解除することを含む、コンピューター読み取り可能記憶デバイス。
【請求項２０】
請求項１７記載の１つ以上のコンピューター読み取り可能記憶デバイスにおいて、前記ライセンスの条件を調整させることが、前記ライセンスを再プロビジョニングすることを含む、コンピューター読み取り可能記憶デバイス